(57)【要約】【課題】折り畳み式の携帯無線機を開いた状態で安定して卓上に置くことができ、さらには通話中における電波の送受信を良好に行うことができる携帯無線機を提供する。【解決手段】受話部５と表示部６を有する第一の筐体２と送話部８とキー操作部７を有する第二の筐体３とを互いの内面２ａ，３ａ間の角度が可変するようにヒンジ部４を介して回動可能に構成した携帯無線機１のヒンジ部４の両端に、アンテナ１０を内蔵した一対のスタンド部９を回動可能に配置し、携帯無線機１の折り畳み時には一対のスタンド部先端９ａが上記第一の筐体２の外面２ａと接する平面と上記第二の筐体３の外面３ｂと接する平面との間に位置し、かつ展開時には一対のスタンド部先端９ａが第二の筐体３の外面３ｂと接する平面より突出するように構成する。【選択図】図１
2004015209.tif 000002
【特許請求の範囲】
【請求項１】
少なくとも受話部を有する第一の筐体と少なくとも送話部を有する第二の筐体とを有し、互いの内面間の角度が可変するようにヒンジ部を介して回動可能に構成された携帯無線機において、上記ヒンジ部の両端には、該ヒンジ部の動きに連動して回動可能に配置された一対のスタンド部を有し、上記第一の筐体と第二の筐体とが閉じている時には、上記一対のスタンド部先端が上記第一の筐体の外面と接する平面と第二の筐体の外面と接する平面との間にあり、かつ上記第一の筐体と第二の筐体とが開いている時には上記一対のスタンド部先端が第二の筐体の外面と接する平面より突出するように構成したことを特徴とする携帯無線機。
【請求項２】
上記一対のスタンド部の少なくとも一方の内部にアンテナを内蔵することを特徴とする請求項１に記載の携帯無線機。
【請求項３】
上記第二の筐体に電池を内蔵するとともに、上記第二の筐体の内面にキー操作部を有し、かつ上記第一の筐体の対向面には表示部を有することを特徴とする請求項１又は請求項２に記載の携帯無線機。
【発明の詳細な説明】
【０００１】
【発明の属する技術分野】
本発明は、ＰＤＣ（Ｐｅｒｓｏｎａｌ　Ｄｉｇｉｔａｌ　Ｃｅｌｌｕｌａｒ）、ＣＤＭＡ（Ｃｏｄｅ　ＤｉｖｉｓｉｏｎＭｕｌｔｉｐｌｅ　Ａｃｃｅｓｓ）、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）やＰＨＳ（Ｐｅｒｓｏｎａｌ　Ｈａｎｄｙ−ｐｈｏｎｅ　Ｓｙｓｔｅｍ）等の通信手段を用いた携帯無線機に関するものである。
【０００２】
【従来の技術及び発明が解決しようとする課題】
近年、データの高速伝送が可能なＰＤＣ（Ｐｅｒｓｏｎａｌ　Ｄｉｇｉｔａｌ　Ｃｅｌｌｕｌａｒ）、ＣＤＭＡ（Ｃｏｄｅ　Ｄｉｖｉｓｉｏｎ　Ｍｕｌｔｉｐｌｅ　Ａｃｃｅｓｓ）、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）やＰＨＳ（Ｐｅｒｓｏｎａｌ　Ｈａｎｄｙ−ｐｈｏｎｅ　Ｓｙｓｔｅｍ）等の通信手段を用いた携帯無線機が広く用いられ、さらに、次世代の技術として開発されているＷＣＤＭＡ（Ｗｉｄｅ　ｂａｎｄ　ＣＤＭＡ）、ＣＤＭＡ２０００等の通信手段を用いたものが開発されつつある。
【０００３】
また、この種の携帯無線機には、携帯性を高めるために折り畳み機構を持ったものが普及しつつある。
【０００４】
ところで、従来知られている折り畳み式の携帯無線機は、受話部を有する一方の筐体端面より出し入れすることが可能な棒状アンテナを備えたものや送話部を備えた他方の筐体端面より出し入れすることが可能な棒状アンテナを備えたものが一般的に知られている。
【０００５】
しかしながら、従来知られている折り畳み式の携帯無線機は、一方の筐体と他方の筐体とを開いた状態で卓上に載置すると、一方の筐体と他方の筐体の重量バランスが悪いために倒れ易いといった課題があった。特に近年、携帯無線機には機能だけでなくデザイン性も重要視されるようになっており、角張ったデザインを有する筐体から曲面を基調としたデザインを有する筐体が使用され、このような曲面を基調とする筐体を用いたものでは、一方の筐体と他方の筐体とを開いた状態で安定して卓上に載置することは難しいものであった。
【０００６】
また、受話部を有する筐体の端面に棒状アンテナを配置するようにした折り畳み式の携帯無線機では、通話中における棒状アンテナと使用者の頭部との距離が短く、使用者の頭部が障害物となるために棒状アンテナによる電波の送受信効率が悪く、良好な電波の送受信が妨げられるといった課題があった。
【０００７】
一方、送話部を備える別の筐体の端面に棒状アンテナを配置するようにした折り畳み式の携帯無線機は、使用者の頭部と棒状アンテナとの距離を離すことができるものの、通話中における棒状アンテナの近傍には受話部を有する筐体が存在するため、送話部を備える筐体の端面に棒状アンテナを配置したとしても棒状アンテナによる電波の送受信効率を高めることができないといった課題があった。
【０００８】
【課題を解決するための手段】
そこで、本発明は上記課題に鑑み、少なくとも受話部を有する第一の筐体と少なくとも送話部を有する第二の筐体とを有し、互いの内面間の角度が可変するようにヒンジ部を介して回動可能に構成された携帯無線機において、上記ヒンジ部の両端に、ヒンジ部の動きに連動して回動する一対のスタンド部を設け、上記第一の筐体と第二の筐体とが閉じている時（折り畳み時）には、上記一対のスタンド部先端が上記第一の筐体の外面と接する平面と第二の筐体の外面と接する平面との間にあり、かつ上記第一の筐体と第二の筐体とが開いている時（展開時）には上記一対のスタンド部先端が第二の筐体の外面と接する平面より突出するように構成したことを特徴とする。
【０００９】
また、上記一対のスタンド部の少なくとも一方の内部にはアンテナを内蔵することが好ましく、さらには上記第二の筐体に電池を内蔵させるとともに、上記第二の筐体の内面にキー操作部を設け、かつ上記第一の筐体の内面には表示部を設けることが好ましい。
【００１０】
【発明の実施の形態】
以下、本発明の実施形態について説明する。
【００１１】
図１は本発明の携帯無線機の一例を示す図で、（ａ）は展開時の状態を示す斜視図、（ｂ）は折り畳み時の状態を示す斜視図である。図２は図１の携帯無線機の主要部であるスタンド部を示す拡大斜視図で、（ａ）は図１（ａ）のＡ部、（ｂ）は図１（ｂ）のＢ部を示す。
【００１２】
この携帯無線機１は第一の筐体２と第二の筐体３とを有し、互いの内面２ａ，３ａ間の角度αを可変させることができるようにヒンジ部４を介して回動可能に構成してある。
【００１３】
第一の筐体２の内面２ａには受話部５と表示部６を備えるとともに、第二の筐体３の内面３ａには操作や情報を入力するためのキー操作部７と送話部８とを備えている。なお、本発明において第一の筐体２の内面２ａとは、折り畳んだ時に第二の筐体３と対向する面のことをいい、また第二の筐体３の内面３ａとは、折り畳んだ時に第一の筐体２と対向する面のことをいう。
【００１４】
また、ヒンジ部４の両端には回動可能に配置された一対のスタンド部９を備えるとともに、上記一対のスタンド部９内には図３に示すようにコイル状のアンテナ１０を各々内蔵してある。そして、一対のスタンド部９は第一の筐体２と第二の筐体３とが閉じている時（折り畳み時）にはヒンジ部４の回動に連動して図１（ｂ）及び図２（ｂ）に示すように上記一対のスタンド部先端９ａが上記第一の筐体２の外面２ｂと接する平面と上記第二の筐体３の外面３ｂと接する平面の間にあり、かつ上記第一の筐体２と第二の筐体３とが開いている時（展開時）にはヒンジ部４の回動に連動して図１（ａ）及び図２（ａ）に示すように上記一対のスタンド部先端９ａが第二の筐体３の外面ｂより突出するように構成してある。
【００１５】
その為、本発明の携帯無線機１によれば、展開している状態では一対のスタンド部９が第二の筐体３の外面３ｂより突出していることから、この状態のまま卓上に置くことにより、一対のスタンド部９と第二の筐体３のヒンジ部４と反対側の端部３ｄの３点で支持することができるため、安定した支持が可能であり、筐体３が曲面を持ったものであっても同様に安定した支持が可能である。
【００１６】
しかも、操作や情報を入力するためのキー操作部７は第二の筐体３の内面３ａに設けてあることから、携帯無線機１を卓上においた状態でキー操作を行っても安定した操作を行うことができ、また、表示部６は第一の筐体２の内面２ａに設けてあることから、卓上に置かれた第二の筐体３に対して第一の筐体２をヒンジ部４を介して回動させることにより表示部６を使用者の目線に自由に合わせることができる。
【００１７】
また、折り畳み時には一対のスタンド部先端９ａが第一の筐体２の外面２ｂと接する平面と第二の筐体３の外面３ｂと接する平面の間にあり、筐体外面２ｂ，３ｂと接する平面より突出することがないため、例えば使用者がポケット等に収納しておく際、スタンド部９がポケットに引っかかったりするようなことも少ないため、携帯に何ら影響を与えることがない。
【００１８】
さらに、第二の筐体２に重量のある電池（不図示）を内蔵させるようにすることで、携帯無線機１を卓上に置いた際の安定感をさらに高めることができるので好ましい。
【００１９】
また、本発明の携帯無線機１によれば、通話するために展開している状態では一対のスタンド部９ａが第二の筐体３の外面３ｂと接する平面より突出しているため、使用者の頭部や第一の筐体２よりアンテナ１０を大きく離すことができるため、アンテナ１０の周囲には電波の送受信に影響を与える障害物がなく、さらには二本のアンテナ１０を有することから、電波の良好な送受信を実現することも可能である。
【００２０】
なお、本発明において、各筐体２，３の外面２ｂ，３ｂと接する平面とは、外面２ｂ，３ｂのうち最も突出している部分に接する平面であって、内面２ａ，３ａと平行な面ことをいう。
【００２１】
ところで、一対のスタンド部９の回動機構は図４に示すように、第二の筐体３の端部に設けられる第二のヒンジ部材１３と、この第二のヒンジ部材１３の外側に配置され、第一の筐体２の端部に設けられる第一のヒンジ部材１２と、この第一のヒンジ部材１２の外側に配置され、スタンド部９に設けられる第三のヒンジ部材１１とを有し、各ヒンジ部材１１，１２，１３に設けられた貫通孔１１ａ，１２ａ，１３ａ内に雌ねじ１５ａを有するネジ部材１５を挿通させ、雄ねじ（不図示）を有する留め具１４を上記ネジ部材１５の雌ねじ１５ａに螺合させて固定するようになっている。なお、１６は第二のヒンジ部１３とネジ部材１５との間に配置されたコイルで、留め具１４の締め付け具合を調整することにより各ヒンジ部１１，１２，１３の滑り具合を調整することができるようになっている。
【００２２】
また、第一のヒンジ部材１２の第二のヒンジ部材１３との対向面１２ｂには凸部１２ｃを有するとともに、第二のヒンジ部材１３の第一のヒンジ部材１２との対向面１３ｂには上記凸部１２ｃと係合する凹部１３ｃを有し、展開時に凸部１２ｃと凹部１３ｃが係合することにより第一の筐体２と第二の筐体３の展開状態が固定されるようになっている。
【００２３】
さらに、第一のヒンジ部材１２の第三のヒンジ部材１１との対向面１２ｄ及び第三のヒンジ部材１１の第一のヒンジ部材１２との対向面１１ｂとは貫通孔１１ａ，１２ａの軸線に対して傾斜させてあり、第一のヒンジ部材１２の回動状態に連動して第三のヒンジ部材１１も回動するようになっている。即ち、第一のヒンジ部材１２が展開時の位置にある時、第三のヒンジ部材１１はスタンド部先端９ａが第二の筐体３の外面３ｂと接する平面より突出するようにしておけば、第三のヒンジ部材１１は第一のヒンジ部材１２と連動して回動するため、第一のヒンジ部材１２が回動して折り畳み時の状態にある時は、スタンド部先端９ａが第一の筐体２の外面２ｂと接する平面と第二の筐体３の外面３ｂと接する平面との間に位置するように配置することができる。
【００２４】
なお、アンテナ１０の給電は第三のヒンジ部材１１とネジ部材１５をそれぞれ導電性を有する金属で形成し、ネジ部材１５と不図示の制御部とを電気的に接続しておくことにより導通を図り、電波の送受信を行うことができる。また、図４は一方のスタンド部９側のヒンジ部４における構造を示したものであるが、他方のスタンド部９側のヒンジ部４においても図４と同様の構造を有している。
【００２５】
以上、本発明の実施形態について示したが、本発明はこれらの実施形態だけに限定されるものではなく、例えば、本実施形態では一対のスタンド部９の各々にアンテナ１０を内蔵した例を示したが、少なくともいずれか一方のスタンド部９内にアンテナ１０を備えていれば良い。ただし、受信感度を高める点で双方のスンタンド部９内にアンテナ１０を各々内蔵させることが好ましい。
【００２６】
また、本発明におけるスタンド部９の回動機構も上述した実施形態に限定されるものではなく、折り畳み時にはヒンジ部４の回動に連動して図１（ｂ）及び図２（ｂ）に示すように一対のスタンド部先端９ａが第一の筐体２の外面２ｂと接する平面と第二の筐体３の外面３ｂと接する平面との間にあり、かつ展開時には上記一対のスタンド部先端９ａが第二の筐体３の外面３ｂと接する平面より突出するように構成してあれば構わない。
【００２７】
このように、本発明の要旨を逸脱しない範囲で改良や変更したものにも適用できることは言う迄もない。
【００２８】
【発明の効果】
以上のように、本発明によれば、少なくとも受話部を有する第一の筐体と少なくとも送話部を有する第二の筐体とを有し、互いの内面間の角度が可変するようにヒンジ部を介して回動可能に構成された携帯無線機において、上記ヒンジ部の両端に、ヒンジ部の動きに連動して回動する一対のスタンド部を設け、上記第一の筐体と第二の筐体とが閉じている時（折り畳み時）には、上記一対のスタンド部先端が上記第一の筐体の外面と接する平面と第二の筐体の外面と接する平面との間にあり、かつ上記第一の筐体と第二の筐体とが開いている時（展開時）には上記一対のスタンド部先端が第二の筐体の外面と接する平面より突出するように構成したことによって、第一の筐体と第二の筐体を開いた状態で携帯無線機を卓上に置いたとしても、一対のスタンド部と第二の筐体のヒンジ部と反対側の端部の３点で支持することができるため、安定して載せることができるとともに、筐体が曲面を持ったものであっても同様に安定した支持が可能である。
【００２９】
特に、操作や情報を入力するためのキー操作部を第二の筐体に設けるとともに、重量のある電池を内蔵させ、第一の筐体の内面には表示部を設けることにより、携帯無線機を卓上に置いた際の安定感をさらに高めることができるとともに、携帯無線機を卓上に置いたままキー操作を行うことができ、さらには第二の筐体に対して第一の筐体をヒンジ部を介して回動させることにより表示部を使用者の目線に自由に合わせることができる。
【００３０】
また、上記一対のスタンド部の少なくとも一方の内部にアンテナを内蔵させることにより、従来の折り畳み式の携帯無線機と比較して通話時におけるアンテナの位置を使用者の頭部や受話部を有する第一の筐体より大きく離すことができるため、電波の送受信を良好に行うこともできる。
【図面の簡単な説明】
【図１】本発明の携帯無線機の一例を示す図で、（ａ）は展開時の状態を示す斜視図、（ｂ）は折り畳み時の状態を示す斜視図である。
【図２】図１の携帯無線機の主要部であるスタンド部を示す拡大斜視図で、（ａ）は図１（ａ）のＡ部、（ｂ）は図１（ｂ）のＢ部をそれぞれ示す。
【図３】スタンド部の構造を示す断面図である。
【図４】ヒンジ部の構造を示す分解斜視図である。
【符号の説明】
１：携帯無線機　２：第一の筐体　２ａ：第一の筐体の内面
２ｂ：第二の筐体の外面　３：第二の筐体　３ａ：第二の筐体の内面
３ｂ：第二の筐体の外面　３ｄ：第二の筐体の端面　４：ヒンジ部　５：受話部６：表示部　７：キー操作部　８：送話部　９：スタンド部
９ａ：スタンド部先端　１０：アンテナ　１１：第三のヒンジ部材
１２：第一のヒンジ部材　１３：第二のヒンジ部材　１４：留め具
１５：ネジ部材　１６：コイル
【図１】
2004015209.tif 000003
【図２】
2004015209.tif 000004
【図３】
2004015209.tif 000005
【図４】
2004015209.tif 000006